(57)【要約】【課題】口金形状が異なる照明器具に接続できる光源装置を得る。【解決手段】直管形ＬＥＤランプ１０ａ〜１０ｃ（光源装置）は、ＬＥＤランプ本体２０（光源本体）と、口金アダプタ３０ａ〜３０ｃ（第一の口金アダプタ）と、口金アダプタ４０ａ〜４０ｃ（第二の口金アダプタ）とを有する。ＬＥＤランプ本体２０は、直管形ＬＥＤランプ１０ａ〜１０ｃで共通している。口金アダプタ３０ａ，４０ａは、ＧＸ１６ｔ−５型の口金形状を有する。口金アダプタ３０ｂ，４０ｂ，３０ｃ，４０ｃは、Ｇ１３型の口金形状を有する。口金アダプタ３０ｃ，４０ｃは、口金アダプタ３０ｂ，４０ｂよりも長い。【選択図】図１
2013218795.tif 000002
【特許請求の範囲】
【請求項１】
略直管形状の光源本体と、
上記光源本体の一方の端に係合して固定される第一の対本体係合部と、第一のソケットに係合して固定される第一の対ソケット係合部とを備える第一の口金アダプタと、
上記光源本体のもう一方の端に係合して固定される第二の対本体係合部と、第二のソケットに係合して固定される第二の対ソケット係合部とを備える第二の口金アダプタと
を有する
ことを特徴とする光源装置。
【請求項２】
上記第一の口金アダプタは、上記第一のソケットの形状と、上記第一のソケットと上記第二のソケットとの間の距離とのうち、少なくともいずれかに基づいて、複数の口金アダプタのなかから選択された口金アダプタであることを特徴とする請求項１に記載の光源装置。
【請求項３】
上記第二の口金アダプタは、上記第二のソケットの形状と、上記第一のソケットと上記第二のソケットとの間の距離とのうち、少なくともいずれかに基づいて、複数の口金アダプタのなかから選択された口金アダプタであることを特徴とする請求項１または請求項２に記載の光源装置。
【請求項４】
上記複数の口金アダプタは、上記対ソケット係合部の形状と、長さとのうち少なくともいずれかが互いに異なることを特徴とする請求項２または請求項３に記載の光源装置。
【請求項５】
上記第一の対本体係合部と、上記第二の対本体係合部とは、異なる形状であることを特徴とする請求項１乃至請求項４のいずれかに記載の光源装置。
【請求項６】
上記第一の対本体係合部と、上記第二の対本体係合部とのうち、少なくともいずれかは、プラグ形状またはコンセント形状を有することを特徴とする請求項１乃至請求項５のいずれかに記載の光源装置。
【請求項７】
上記第一の対本体係合部と、上記第二の対本体係合部と、上記光源本体とのうち、少なくともいずれかは、プラグとコンセントとの接続部分を覆う形状を有することを特徴とする請求項６に記載の光源装置。
【請求項８】
上記光源本体は、
上記第一の口金アダプタから供給される電力により点灯する光源を有し、
上記第一の口金アダプタは、外部から入力した電力を、上記第一の対本体係合部を介して、上記光源本体に対して供給する
ことを特徴とする請求項１乃至請求項７のいずれかに記載の光源装置。
【請求項９】
上記第一の口金アダプタは、
外部から入力した電力により充電され、充電された電力を上記光源本体に対して供給する蓄電池を有する
ことを特徴とする請求項８に記載の光源装置。
【発明の詳細な説明】
【技術分野】
【０００１】
この発明は、照明装置に接続して使用される光源装置に関する。
【背景技術】
【０００２】
ＬＥＤなどを光源としたランプ（光源装置）において、直管形蛍光灯と同様の直管形状のものがある。
直管形ランプを照明器具に取り付ける口金の形状には、例えば、日本工業規格（ＪＩＳ）ＣＣ７７０９−１に規定されたＧ１３型やＧＸ１６ｔ−５型のものがある。
【先行技術文献】
【特許文献】
【０００３】
【特許文献１】特開２０１２−０１４８３１号公報
【特許文献２】特開２０１２−００９４５３号公報
【発明の概要】
【発明が解決しようとする課題】
【０００４】
上記のように、直管形ランプを照明器具に取り付ける口金の形状には、ＪＩＳに規定されているものだけでもいくつかの種類があり、メーカー独自の形状を加えると、更に多くの種類がある。このため、口金形状が異なる照明器具には、同じ直管形ランプを接続できない。
この発明は、例えば、口金形状が異なる照明器具に接続できる光源装置を得ることを目的とする。
【課題を解決するための手段】
【０００５】
この発明にかかる光源装置は、略直管形状の光源本体と、上記光源本体の一方の端に係合して固定される第一の対本体係合部と、第一のソケットに係合して固定される第一の対ソケット係合部とを備える第一の口金アダプタと、上記光源本体のもう一方の端に係合して固定される第二の対本体係合部と、第二のソケットに係合して固定される第二の対ソケット係合部とを備える第二の口金アダプタとを有することを特徴とする。
【発明の効果】
【０００６】
この発明にかかる光源装置によれば、口金アダプタを変えることにより、口金形状が異なる照明器具に接続することができる。
【図面の簡単な説明】
【０００７】
【図１】実施の形態１における直管形ＬＥＤランプ１０の外観を示す正視図。
【図２】実施の形態１におけるＬＥＤランプ本体２０の構造を示す拡大正視図。
【図３】実施の形態１における口金アダプタ３０ａの構造を示す拡大正視図。
【図４】実施の形態１における口金アダプタ４０ａの構造を示す拡大正視図。
【図５】実施の形態１における口金アダプタ３０ｂの構造を示す拡大正視図。
【図６】実施の形態１における口金アダプタ４０ｂの構造を示す拡大正視図。
【図７】実施の形態１における口金アダプタ３０ｃの構造を示す拡大正視図。
【図８】実施の形態１における口金アダプタ４０ｃの構造を示す拡大正視図。
【図９】実施の形態２におけるＬＥＤランプ本体２０の構造を示す拡大正視図。
【図１０】実施の形態２における口金アダプタ３０ａの構造を示す拡大正視図。
【図１１】実施の形態２における口金アダプタ４０ａの構造を示す拡大正視図。
【図１２】実施の形態２における口金アダプタ３０ｂの構造を示す拡大正視図。
【図１３】実施の形態２における口金アダプタ４０ｂの構造を示す拡大正視図。
【図１４】実施の形態２における口金アダプタ３０ｃの構造を示す拡大正視図。
【図１５】実施の形態２における口金アダプタ４０ｃの構造を示す拡大正視図。
【発明を実施するための形態】
【０００８】
実施の形態１．
実施の形態１について、図１〜図６を用いて説明する。
【０００９】
図１は、この実施の形態における直管形ＬＥＤランプ１０の外観を示す正視図である。
【００１０】
直管形ＬＥＤランプ１０（光源装置）には、複数の種類のものがある。この図では、そのうちの３種類（直管形ＬＥＤランプ１０ａ，１０ｂ，１０ｃ）を例示している。まず、すべての種類に共通する点を説明する。
【００１１】
直管形ＬＥＤランプ１０は、例えば、発光部１２と、ランプ口金部１３，１４とを有する。
発光部１２は、ほぼ円柱形状である。発光部１２は、ＬＥＤ（光源）などを内蔵し、ＬＥＤが発した光を外部に放射する。
ランプ口金部１３，１４は、発光部１２の両端に位置する。ランプ口金部１３，１４は、照明器具などに設けられたソケットと係合して、直管形ＬＥＤランプ１０を照明器具に固定する。
【００１２】
次に、種類によって異なる部分を説明する。
【００１３】
直管形ＬＥＤランプ１０ａは、例えば、ＪＩＳＣ７７０９−１：２０１２に規定されたＧＸ１６ｔ−５型の口金を有する。直管形ＬＥＤランプ１０ａの全長（口金の突起部分を除く長さ）は、例えば、５８０ｍｍ（ミリメートル）である。
直管形ＬＥＤランプ１０ａは、ＬＥＤランプ本体２０と、２つの口金アダプタ３０ａ，４０ａとの３つの部品からなる。それぞれの口金アダプタ３０ａ，４０ａは、ＬＥＤランプ本体２０に対して、着脱自在に取り付けられている。
【００１４】
直管形ＬＥＤランプ１０ｂ，１０ｃは、例えば、ＪＩＳＣ７７０９−１：２００４に規定されたＧ１３型の口金を有する。直管形ＬＥＤランプ１０ｂの全長は、例えば、５８０ｍｍである。直管形ＬＥＤランプ１０ｃの全長は、５８８．５ｍｍである。
直管形ＬＥＤランプ１０ｂは、ＬＥＤランプ本体２０と、２つの口金アダプタ３０ｂ，４０ｂとの３つの部品からなる。それぞれの口金アダプタ３０ｂ，４０ｂは、ＬＥＤランプ本体２０に対して、着脱自在に取り付けられている。
直管形ＬＥＤランプ１０ｃは、ＬＥＤランプ本体２０と、２つの口金アダプタ３０ｃ，４０ｃとの３つの部品からなる。それぞれの口金アダプタ３０ｃ，４０ｃは、ＬＥＤランプ本体２０に対して、着脱自在に取り付けられている。
【００１５】
すべての種類の直管形ＬＥＤランプ１０において、ＬＥＤランプ本体２０は、同じ部品である。すなわち、ＬＥＤランプ本体２０は、取り付ける口金アダプタ３０，４０を変えれば、いずれの種類の直管形ＬＥＤランプ１０としても使うこともできる。
【００１６】
図２は、この実施の形態におけるＬＥＤランプ本体２０の構造を示す拡大正視図である。
なお、ＬＥＤランプ本体２０は、長尺形状であるため、中間部分を省略している。
【００１７】
ＬＥＤランプ本体２０（光源本体）は、例えば、本体発光部２２と、２つの対アダプタ接続部２３ａ，２３ｂとを有する。
本体発光部２２は、直管形ＬＥＤランプ１０の発光部１２に相当する部分である。本体発光部２２は、ほぼ円柱形状（略直管形状）であり、ＬＥＤなどを内蔵し、ＬＥＤが発した光を外部に放射する。
【００１８】
対アダプタ接続部２３ａは、口金アダプタ３０を接続する部分である。対アダプタ接続部２３は、例えば、ほぼ円柱状である。対アダプタ接続部２３ａは、例えば、対アダプタ当接面２４ａと、２つのプラグ受け部２５ａ，２６ａとを有するコンセント形状である。
対アダプタ当接面２４ａは、例えば、ほぼ平らであり、ほぼ円形である。対アダプタ当接面２４ａは、口金アダプタ３０と当接する。対アダプタ当接面２４ａには、例えば、２つの開口が設けられている。開口は、例えば、スリット状である。プラグ受け部２５ａ，２６ａは、対アダプタ接続部２３ａの内部に設けられている。プラグ受け部２５ａは、対アダプタ当接面２４ａに設けられた開口のうちの１つに挿入される口金アダプタ３０のプラグピン３５（後述）と係合し、プラグピン３５を保持するとともに、プラグピン３５と電気接続する。プラグ受け部２６ａは、対アダプタ当接面２４ａに設けられたもう１つの開口に挿入される口金アダプタ３０のプラグピン３６（後述）と係合し、プラグピン３６を保持するとともに、プラグピン３６と電気接続する。２つのプラグ受け部２５ａ，２６ａは、それぞれが電気接続した２つのプラグピン３５，３６から電力を入力する。プラグ受け部２５ａ，２６ａが入力した電力により、ＬＥＤが点灯する。
【００１９】
対アダプタ接続部２３ｂは、口金アダプタ４０を接続する部分である。対アダプタ接続部２３ｂは、例えば、ほぼ円柱状である。対アダプタ接続部２３ｂは、例えば、対アダプタ当接面２４ｂと、２つのプラグ受け部２５ｂ，２６ｂとを有するコンセント形状である。
対アダプタ当接面２４ｂは、例えば、ほぼ平らであり、ほぼ円形である。対アダプタ当接面２４ｂは、口金アダプタ４０と当接する。対アダプタ当接面２４ｂには、例えば、２つの開口が設けられている。開口は、例えば、スリット状である。対アダプタ当接面２４ｂの２つの開口は、対アダプタ当接面２４ａの２つの開口と配置が異なる。プラグ受け部２５ｂ，２６ｂは、対アダプタ接続部２３ｂの内部に設けられている。プラグ受け部２５ｂは、対アダプタ当接面２４ｂに設けられた開口のうちの１つに挿入される口金アダプタ４０のプラグピン４５（後述）と係合し、プラグピン４５を保持するとともに、プラグピン４５と電気接続する。プラグ受け部２６ｂは、対アダプタ当接面２４ｂに設けられたもう１つの開口に挿入される口金アダプタ４０のプラグピン４６（後述）と係合し、プラグピン４６を保持するとともに、プラグピン４６と電気接続する。プラグ受け部２５ｂ，２６ｂは、ＬＥＤランプ本体２０の外部に露出した金属部分などに電気接続されている。２つのプラグ受け部２５ｂ，２６ｂは、それぞれが電気接続した２つのプラグピン４５，４６の少なくともいずれかを介して接地される。これにより、ＬＥＤランプ本体２０の外部に露出した金属部分などを使用者が触ったときの安全を確保する。
【００２０】
図３は、この実施の形態における口金アダプタ３０ａの構造を示す拡大正視図である。
【００２１】
口金アダプタ３０ａ（第一の口金アダプタ）は、直管形ＬＥＤランプ１０の一方の口金を、ＧＸ１６ｔ−５型の電源側口金にするためのアダプタである。口金アダプタ３０ａは、ＧＸ１６ｔ−５型の電源側受け金を有するソケット（第一のソケット）に嵌合して、ＬＥＤランプ本体２０をソケットに固定する。
【００２２】
口金アダプタ３０ａは、例えば、対ソケット当接面３１ａと、対ソケット係合凸部３２ａと、２つの保持部３７ａ，３８ａとをソケット側に有し、対本体当接面３４ａと、２つのプラグピン３５ａ，３６ａとを本体側に有し、その間を口金部本体３３ａが接続している。
【００２３】
対ソケット当接面３１ａと、対ソケット係合凸部３２ａと、２つの保持部３７ａ，３８ａとによって形成されているソケット側の形状（第一の対ソケット係合部）は、ＧＸ１６ｔ−５型の電源側口金の形状である。
２つの保持部３７ａ，３８ａは、ソケットと係合してＬＥＤランプ本体２０をソケットに固定するとともに、ソケット内の電極と電気接続して、電極から供給される電力を入力する。
【００２４】
対本体当接面３４ａと、２つのプラグピン３５ａ，３６ａとによって形成されている本体側の形状（第一の対本体係合部）は、ＬＥＤランプ本体２０の対アダプタ接続部２３ａに対応するプラグ形状である。
対本体当接面３４ａは、ほぼ平らであり、ほぼ円形である。対本体当接面３４ａは、対アダプタ接続部２３ａの対アダプタ当接面２４ａと当接する。
プラグピン３５ａは、ＬＥＤランプ本体２０のプラグ受け部２５ａと係合して保持され、プラグ受け部２５ａと電気接続する。プラグピン３５ａは、口金部本体３３ａのなかで保持部３７ａと電気接続している。
プラグピン３６ａは、ＬＥＤランプ本体２０のプラグ受け部２６ａと係合して保持され、プラグ受け部２６ａと電気接続する。プラグピン３６ａは、口金部本体３３ａのなかで保持部３８ａと電気接続している。
【００２５】
図４は、この実施の形態における口金アダプタ４０ａの構造を示す拡大正視図である。
【００２６】
口金アダプタ４０ａ（第二の口金アダプタ）は、直管形ＬＥＤランプ１０のもう一方の口金を、ＧＸ１６ｔ−５型の接地側口金にするためのアダプタである。口金アダプタ４０ａは、ＧＸ１６ｔ−５型の接地側受け金を有するソケット（第二のソケット）に嵌合して、ＬＥＤランプ本体２０をソケットに固定する。
【００２７】
口金アダプタ４０ａは、例えば、対ソケット当接面４１ａと、保持部４７ａと、保持先端部５１ａとをソケット側に有し、対本体当接面４４ａと、２つのプラグピン４５ａ，４６ａとを本体側に有し、その間を口金部本体４３ａが接続している。
【００２８】
対ソケット当接面４１ａと、保持部４７ａと、保持先端部５１ａとによって形成されているソケット側の形状（第二の対ソケット係合部）は、ＧＸ１６ｔ−５型の接地側口金の形状である。
保持部４７ａと、保持先端部５１ａとは、ソケットと係合してＬＥＤランプ本体２０をソケットに固定するとともに、ソケット内の電極と電気接続して、電極を介して接地される。
【００２９】
対本体当接面４４ａと、２つのプラグピン４５ａ，４６ａとによって形成されている本体側の形状（第二の対本体係合部）は、ＬＥＤランプ本体２０の対アダプタ接続部２３ｂに対応するプラグ形状である。
対本体当接面４４ａは、ほぼ平面状であり、ほぼ円形である。対本体当接面４４ａは、対アダプタ接続部２３ｂの対アダプタ当接面２４ｂと当接する。
プラグピン４５ａは、ＬＥＤランプ本体２０のプラグ受け部２５ｂと係合して保持され、プラグ受け部２５ｂと電気接続する。プラグピン４５ａは、口金部本体４３ａのなかで保持部４７ａと電気接続している。
プラグピン４６ａは、ＬＥＤランプ本体２０のプラグ受け部２６ｂと係合して保持され、プラグ受け部２６ｂと電気接続する。プラグピン４６ａは、口金部本体４３ａのなかで保持部４７ａと電気接続している。
【００３０】
図５は、この実施の形態における口金アダプタ３０ｂの構造を示す拡大正視図である。
【００３１】
口金アダプタ３０ｂ（第一の口金アダプタ）は、直管形ＬＥＤランプ１０の一方の口金を、Ｇ１３型の口金にするためのアダプタである。口金アダプタ３０ｂは、Ｇ１３型の受け金を有するソケット（第一のソケット）に嵌合して、ＬＥＤランプ本体２０をソケットに固定する。
【００３２】
口金アダプタ３０ｂは、例えば、対ソケット当接面３１ｂと、２つの保持部３７ｂ，３８ｂとをソケット側に有し、対本体当接面３４ｂと、２つのプラグピン３５ｂ，３６ｂとを本体側に有し、その間を口金部本体３３ｂが接続している。口金部本体３３ｂには、コネクタ差込部５２が設けられている。
【００３３】
対ソケット当接面３１ｂと２つの保持部３７ｂ，３８ｂとによって形成されているソケット側の形状（第一の対ソケット係合部）は、Ｇ１３型の口金の形状である。
２つの保持部３７ｂ，３８ｂは、ソケットと係合してＬＥＤランプ本体２０をソケットに固定する。
【００３４】
コネクタ差込部５２ｂは、例えば、口金部本体３３ｂの側面に設けられている。コネクタ差込部５２ｂは、直管形ＬＥＤランプ１０に電力を供給するために設けられたコネクタと係合する。コネクタ差込部５２ｂは例えば、２つの電極を有する。２つの電極は、コネクタと電気接続して、コネクタから供給される電力を入力する。
【００３５】
対本体当接面３４ｂと、２つのプラグピン３５ｂ，３６ｂとによって形成されている本体側の形状（第一の対本体係合部）は、ＬＥＤランプ本体２０の対アダプタ接続部２３ａに対応するプラグ形状であり、口金アダプタ３０ａの本体側の形状と同一である。
プラグピン３５ｂは、口金部本体３３ｂのなかでコネクタ差込部５２ｂの電極の一つと電気接続している。プラグピン３５ｂは、保持部３７ｂや保持部３８ｂとは電気接続していない。
プラグピン３６ｂは、口金部本体３３ｂのなかでコネクタ差込部５２ｂのもう一つの電極と電気接続している。プラグピン３６ｂは、保持部３７ｂや保持部３８ｂとは電気接続していない。
【００３６】
口金部本体３３ｂの長さ（対ソケット当接面３１ｂと対本体当接面３４ｂとの間の距離）は、口金部本体３３ａと同じである。
【００３７】
図６は、この実施の形態における口金アダプタ４０ｂの構造を示す拡大正視図である。
【００３８】
口金アダプタ４０ｂ（第二の口金アダプタ）は、直管形ＬＥＤランプ１０のもう一方の口金を、Ｇ１３型の口金にするためのアダプタである。口金アダプタ４０ｂは、Ｇ１３型の受け金を有するソケット（第二のソケット）に嵌合して、ＬＥＤランプ本体２０をソケットに固定する。
【００３９】
口金アダプタ４０ｂは、例えば、対ソケット当接面４１ｂと、２つの保持部４７ｂ，４８ｂとをソケット側に有し、対本体当接面４４ｂと、２つのプラグピン４５ｂ，４６ｂとを本体側に有し、その間を口金部本体４３ｂが接続している。
【００４０】
対ソケット当接面４１ｂと、２つの保持部４７ｂ，４８ｂとによって形成されているソケット側の形状（第二の対ソケット係合部）は、Ｇ１３型の口金の形状である。
保持部４７ｂ，４８ｂは、ソケットと係合してＬＥＤランプ本体２０をソケットに固定する。
【００４１】
対本体当接面４４ｂと、２つのプラグピン４５ｂ，４６ｂとによって形成されている本体側の形状（第二の対本体係合部）は、ＬＥＤランプ本体２０の対アダプタ接続部２３ｂに対応するプラグ形状であり、口金アダプタ４０ａの本体側の形状と同一である。
プラグピン４５ｂ及びプラグピン４６ｂは、保持部４７ｂや保持部４８ｂとは電気接続していない。
【００４２】
口金部本体４３ｂの長さは、口金部本体４３ａと同じである。
【００４３】
図７は、この実施の形態における口金アダプタ３０ｃの構造を示す拡大正視図である。
【００４４】
口金アダプタ３０ｃの構造は、口金アダプタ３０ｂとほぼ同様である。異なるのは、口金部本体３３ｃの長さが、口金部本体３３ｂより長い点である。口金部本体３３ｃは、例えば、口金部本体３３ｂよりも４．２５ｍｍ長い。それ以外の点は、口金アダプタ３０ｂと同様なので、詳しい説明は省略する。
【００４５】
図８は、この実施の形態における口金アダプタ４０ｃの構造を示す拡大正視図である。
【００４６】
口金アダプタ４０ｃの構造は、口金アダプタ４０ｂとほぼ同様である。異なるのは、口金部本体４３ｃの長さが、口金部本体４３ｂより長い点である。口金部本体４３ｃは、例えば、口金部本体４３ｂよりも４．２５ｍｍ長い。それ以外の点は、口金アダプタ４０ｂと同様なので、詳しい説明は省略する。
【００４７】
なお、口金部本体３３ｃの長さと口金部本体４３ｃの長さとの合計が、口金部本体３３ｂの長さと口金部本体４３ｂの長さの合計よりも８．５ｍｍ長ければよく、口金部本体３３ｃの長さと口金部本体３３ｂの長さとの差と、口金部本体４３ｃの長さと口金部本体４３ｂの長さとの差とが異なっていてもよい。
【００４８】
ＬＥＤランプ本体２０に、口金アダプタ３０ａと口金アダプタ４０ａとを組み合わせることにより、ＧＸ１６ｔ−５型の受け金を有する一対のソケットに取り付けることができる直管形ＬＥＤランプ１０ａを構成することができる。
また、同じＬＥＤランプ本体２０に、口金アダプタ３０ｂと口金アダプタ４０ｂとを組み合わせることにより、Ｇ１３型の受け金を有する一対のソケットに取り付けることができる直管形ＬＥＤランプ１０ｂを構成することができる。
同様に、ＬＥＤランプ本体２０に、口金アダプタ３０ｃと口金アダプタ４０ｃとを組み合わせることにより、Ｇ１３型の受け金を有する一対のソケットに取り付けることができ、直管形ＬＥＤランプ１０ｂよりも８．５ｍｍ長い直管形ＬＥＤランプ１０ｃを構成することができる。
【００４９】
このように、口金アダプタ３０，４０を変えることにより、受け金形状の異なる照明器具に、直管形ＬＥＤランプ１０を取り付けることができる。
【００５０】
また、対アダプタ接続部２３ａの形状と、対アダプタ接続部２３ｂの形状とが異なっているので、口金アダプタ３０は、対アダプタ接続部２３ａにしか取り付けられず、対アダプタ接続部２３ｂには取り付けられない。同様に、口金アダプタ４０は、対アダプタ接続部２３ｂにしか取り付けられず、対アダプタ接続部２３ａには取り付けられない。
これにより、誤って、口金アダプタ３０と口金アダプタ４０とを逆に取り付けるのを防ぐことができる。
【００５１】
Ｇ１３型の受け金は、従来の直管蛍光ランプ用照明器具において広く使われている受け金である。直管形ＬＥＤランプ１０ｂは、Ｇ１３型の受け金に取り付けることができるので、既存の直管蛍光ランプ用照明器具のソケットをそのまま使い、照明器具内部の回路を改造するだけで、ＬＥＤ光源を使った照明器具にすることができる。
【００５２】
従来の直管蛍光ランプのうち、例えばＦＬ２０Ｓ型のものは、口金がＧ１３型で、全長が５８０ｍｍである。また、例えばＦＨＦ１６型のものは、口金は同じくＧ１３型であるが、全長が異なり５８８．５ｍｍである。したがって、既存の直管蛍光ランプ用照明器具には、ソケットの間隔が５８０ｍｍのものと、５８８．５ｍｍのものとがある。
直管形ＬＥＤランプ１０ｂは、全長が５８０ｍｍであり、ＦＬ２０Ｓ型の直管蛍光ランプ用照明器具を改造した照明器具に取り付けることができる。また、直管形ＬＥＤランプ１０ｃは、全長が５８８．５ｍｍであり、ＦＨＦ１６型の直管蛍光ランプ用照明器具を改造した照明器具に取り付けることができる。
【００５３】
このように、長さの異なる口金アダプタ３０，４０を用意することにより、受け金形状が同じでもソケット間隔の異なる照明器具に、直管形ＬＥＤランプ１０を取り付けることができる。
【００５４】
なお、口金アダプタ４０ｃの長さを、口金アダプタ４０ｂよりも８．５ｍｍ長くする構成であってもよい。そうすれば、ＬＥＤランプ本体２０に、口金アダプタ３０ｂと口金アダプタ４０ｃとを組み合わせることにより、直管形ＬＥＤランプ１０ｂよりも８．５ｍｍ長い直管形ＬＥＤランプ１０ｃを構成することができる。
逆に、口金アダプタ３０ｃの長さを、口金アダプタ３０ｂよりも８．５ｍｍ長くする構成であってもよい。そうすれば、ＬＥＤランプ本体２０に、口金アダプタ３０ｃと口金アダプタ４０ｂとを組み合わせることにより、直管形ＬＥＤランプ１０ｂよりも８．５ｍｍ長い直管形ＬＥＤランプ１０ｃを構成することができる。
いずれの場合も、口金アダプタ３０あるいは口金アダプタ４０の種類を少なくすることができ、製造コスト・在庫コストなどを抑えることができる。
【００５５】
また、口金部本体３３ｃの長さと口金部本体３３ｂの長さとの差と、口金部本体４３ｃの長さと口金部本体４３ｂの長さとの差とが同じであれば、直管形ＬＥＤランプ１０ｃの発光部１２ｃの中心を、照明器具設計時の直管蛍光ランプの中心と一致させることができる。
【００５６】
なお、口金アダプタ３０のプラグピン３５，３６及びそれと係合する対アダプタ接続部２３ａのプラグ受け部２５ａ，２６ａは、２つに限らず、３つ以上ある構成でもよい。電気的には２つあればよいが、３つ以上あれば、その分、ＬＥＤランプ本体２０と口金アダプタ３０との間の機械的な接続強度が高くなる。
【００５７】
なお、ＬＥＤランプ本体２０と口金アダプタ３０との間の接続形状は、ＬＥＤランプ本体２０がプラグ形状、口金アダプタ３０がコンセント形状であってもよい。
【００５８】
また、口金アダプタ４０のプラグピン４５，プラグピン４６及びそれと係合する対アダプタ接続部２３ｂのプラグ受け部２５ｂ，２６ｂは、２つに限らず、１つしかない構成でもよいし、３つ以上ある構成でもよい。電気的には１つあればよいが、ＬＥＤランプ本体２０と口金アダプタ４０との間の機械的な接続強度を高めるため、２つ以上あることが望ましい。
【００５９】
なお、ＬＥＤランプ本体２０と口金アダプタ４０との間の接続形状は、ＬＥＤランプ本体２０がプラグ形状、口金アダプタ４０がコンセント形状であってもよい。
【００６０】
実施の形態２．
実施の形態２について、図９〜図１３を用いて説明する。
なお、実施の形態１と共通する部分については、同一の符号を付し、説明を省略する。
【００６１】
図９は、この実施の形態におけるＬＥＤランプ本体２０の構造を示す拡大正視図である。
【００６２】
対アダプタ接続部２３ａは、実施の形態１で説明した構造に加えて、更に、対アダプタ当接係合部２９ａを有する。
対アダプタ当接係合部２９ａは、対アダプタ当接面２４ａに設けられた凹部である。対アダプタ当接係合部２９ａは、例えば、ほぼ円柱形状である。
口金アダプタ３０のプラグピン３５，３６を挿入するための開口は、対アダプタ当接係合部２９ａのなかに設けられている。
【００６３】
対アダプタ接続部２３ｂは、実施の形態１で説明した構造に加えて、更に、対アダプタ当接係合部２９ｂを有する。
対アダプタ当接係合部２９ｂは、対アダプタ当接面２４ｂに設けられた凹部である。対アダプタ当接係合部２９ｂは、例えば、ほぼ円柱形状である。
口金アダプタ４０のプラグピン４５，４６を挿入するための開口は、対アダプタ当接係合部２９ｂのなかに設けられている。
【００６４】
図１０は、この実施の形態における口金アダプタ３０ａの構造を示す拡大正視図である。
【００６５】
口金アダプタ３０ａは、実施の形態１で説明した構造に加えて、更に、対本体当接係合部３９ａを有する。
対本体当接係合部３９ａは、対本体当接面３４ａに設けられた凸部である。対本体当接係合部３９ａは、対アダプタ接続部２３ａの対アダプタ当接係合部２９ａと係合する形状である。対本体当接係合部３９ａは、例えば、ほぼ円柱形状である。
【００６６】
図１１は、この実施の形態における口金アダプタ４０ａの構造を示す拡大正視図である。
【００６７】
口金アダプタ４０ａは、実施の形態１で説明した構造に加えて、更に、対本体当接係合部４９ａを有する。
対本体当接係合部４９ａは、対本体当接面４４ａに設けられた凸部である。対本体当接係合部４９ａは、対アダプタ接続部２３ｂの対アダプタ当接係合部２９ｂと係合する形状である。対本体当接係合部４９ａは、例えば、ほぼ円柱形状である。
【００６８】
図１２は、この実施の形態における口金アダプタ３０ｂの構造を示す拡大正視図である。
【００６９】
口金アダプタ３０ｂは、実施の形態１で説明した構造に加えて、更に、対本体当接係合部３９ｂを有する。
対本体当接係合部３９ｂは、対本体当接面３４ｂに設けられた凸部である。対本体当接係合部３９ｂは、口金アダプタ３０ａの対本体当接係合部３９ａと同じく、対アダプタ接続部２３ａの対アダプタ当接係合部２９ａと係合する形状である。
【００７０】
図１３は、この実施の形態における口金アダプタ４０ｂの構造を示す拡大正視図である。
【００７１】
口金アダプタ４０ｂは、実施の形態１で説明した構造に加えて、更に、対本体当接係合部４９ｂを有する。
対本体当接係合部４９ｂは、対本体当接面４４ｂに設けられた凸部である。対本体当接係合部４９ｂは、口金アダプタ４０ａの対本体当接係合部４９ａと同じく、対アダプタ接続部２３ｂの対アダプタ当接係合部２９ｂと係合する形状である。
【００７２】
図１４は、この実施の形態における口金アダプタ３０ｃの構造を示す拡大正視図である。
口金アダプタ３０ｂと同様、口金アダプタ３０ｃも、対本体当接係合部３９ｃを有する。
【００７３】
図１５は、この実施の形態における口金アダプタ４０ｃの構造を示す拡大正視図である。
【００７４】
口金アダプタ４０ｂと同様、口金アダプタ４０ｃも、対本体当接係合部４９ｃを有する。
【００７５】
このように、対アダプタ接続部２３ａの対アダプタ当接面２４ａに対アダプタ当接係合部２９ａを設け、口金アダプタ３０の対本体当接面３４に対本体当接係合部３９を設けることにより、プラグピン３５，３６の周囲を対アダプタ当接面２４ａが覆うので、プラグピン３５，３６に埃などが付着するのを防ぎ、トラッキングの発生を防止することができる。
なお、対アダプタ当接係合部２９ａを凸部として形成し、対本体当接係合部３９を凹部として形成する構成であってもよい。
【００７６】
同様に、対アダプタ接続部２３ｂの対アダプタ当接面２４ｂに対アダプタ当接係合部２９ｂを設け、口金アダプタ４０の対本体当接面４４に対本体当接係合部４９設けることにより、プラグピン４５，４６の周囲を対アダプタ当接面２４ｂが覆うので、プラグピン４５，４６に埃などが付着するのを防ぎ、トラッキングの発生を防止することができる。
なお、対アダプタ当接係合部２９ｂを凸部として形成し、対本体当接係合部４９を凹部として形成する構成であってもよい。
【００７７】
実施の形態３．
実施の形態３について、説明する。
なお、実施の形態１または実施の形態２と共通する部分については、同一の符号を付し、説明を省略する。
【００７８】
口金アダプタ３０ａは、実施の形態１または実施の形態２で説明した構成に加えて、更に、バッテリと、充放電回路を有する。
バッテリ（蓄電池）は、口金部本体３３ａに内蔵されている。バッテリは、充放電回路を介して、プラグピン３５ａと、プラグピン３６ａとの間に電気接続している。充放電回路は、バッテリを充電する充電電流や、バッテリを放電する放電電流を制御する。
【００７９】
口金アダプタ３０ｂも同様に、プラグピン３５ｂとプラグピン３６ｂとの間に電気接続したバッテリと、充放電回路とを有する。
口金アダプタ３０ｃも同様に、プラグピン３５ｃとプラグピン３６ｃとの間に電気接続したバッテリと、充放電回路とを有する。
【００８０】
直管形ＬＥＤランプ１０が接続される照明器具は、直管形ＬＥＤランプ１０を流れる電流が所定の目標電流になるよう、定電流動作をするものとする。
照明器具から電力が供給されると、充放電回路がバッテリを充電する。バッテリを充電する充電電流が流れる分、ＬＥＤランプ本体２０のＬＥＤを流れる電流が少なくなる。
また、照明器具からの電力供給が停止すると、充放電回路がバッテリを放電する。バッテリを放電した電流は、ＬＥＤランプ本体２０のＬＥＤを流れる。
【００８１】
例えば、充放電回路が制御する充電電流・放電電流、及びバッテリの容量は、以下のように設定する。
【００８２】
充電時において、バッテリがほぼ空であれば、ＬＥＤ点灯時に流れる電流と同程度の充電電流が流れ、バッテリが充電されるにつれて、充電電流が小さくなるように設定する。バッテリは、例えば数秒程度でほぼ満充電される容量に設定する。
放電時において、バッテリがほぼ満充電であれば、ＬＥＤ点灯時に流れる電流と同程度の放電電流が流れ、バッテリが放電されるにつれて、放電電流が小さくなるように設定する。したがって、バッテリは、例えば数秒程度でほぼ空になる。
【００８３】
このような設定にすると、電源投入時にはフェードイン効果が生じ、電源切断時にはフェードアウト効果が生じる。
【００８４】
あるいは、充放電回路が制御する充電電流・放電電流、及びバッテリの容量は、以下のように設定してもよい。
【００８５】
充電時において、バッテリがほぼ満充電でなければ、バッテリの充電量にかかわらず、ほぼ一定の充電電流が流れるように設定する。充電電流は、ＬＥＤ点灯時に流れる電流と比べると非常に小さい。
放電時において、バッテリがほぼ空でなければ、バッテリの充電量にかからわず、ほぼ一定の放電電流が流れるように設定する。放電電流は、ＬＥＤ点灯時に流れる電流と同程度である。バッテリは、例えば数分程度でほぼ空になる容量に設定する。したがって、バッテリの充電には、例えば少なくとも数時間程度かかる。
【００８６】
このような設定にすると、電源投入時には、ＬＥＤの明るさをほとんど変えずにバッテリを充電し、停電時などの非常時に、数分程度ＬＥＤの点灯を続けることができる。
【００８７】
以上、各実施の形態で説明した構成は、一例であり、他の構成であってもよい。例えば、異なる実施の形態で説明した構成を組み合わせた構成であってもよいし、本質的でない部分の構成を、他の構成で置き換えた構成であってもよい。
【符号の説明】
【００８８】
１０  直管形ＬＥＤランプ、１２  発光部、１３  ランプ口金部、２０  ＬＥＤランプ本体、２２  本体発光部、２３  対アダプタ接続部、２４  対アダプタ当接面、２５，２６  プラグ受け部、２９  対アダプタ当接係合部、３０，４０  口金アダプタ、３１，４１  対ソケット当接面、３２  対ソケット係合凸部、３３，４３  口金部本体、３４，４４  対本体当接面、３５，３６，４５，４６  プラグピン、３７，３８，４７，４８  保持部、３９，４９  対本体当接係合部、５１  保持先端部、５２  コネクタ差込部。
【図１】
2013218795.tif 000003
【図２】
2013218795.tif 000004
【図３】
2013218795.tif 000005
【図４】
2013218795.tif 000006
【図５】
2013218795.tif 000007
【図６】
2013218795.tif 000008
【図７】
2013218795.tif 000009
【図８】
2013218795.tif 000010
【図９】
2013218795.tif 000011
【図１０】
2013218795.tif 000012
【図１１】
2013218795.tif 000013
【図１２】
2013218795.tif 000014
【図１３】
2013218795.tif 000015
【図１４】
2013218795.tif 000016
【図１５】
2013218795.tif 000017